(57)【要約】      （修正有）【課題】語学学習を効率よく行うことが可能な語学学習支援装置、語学学習支援方法および語学学習支援プログラムを提供する。【解決手段】語学学習支援装置１０１は、対象者による語学学習結果を示す学習結果情報を取得する対象者情報取得部２２と、対象者情報取得部２２によって取得された学習結果情報に基づいて、対象者の習熟度を発音記号または発音パターンごとに設定する習熟度設定部２３とを備える。【選択図】図２
2017021245.tif 000002
【特許請求の範囲】
【請求項１】
対象者による語学学習結果を示す学習結果情報を取得する対象者情報取得部と、
前記対象者情報取得部によって取得された前記学習結果情報に基づいて、前記対象者の習熟度を発音記号または発音パターンごとに設定する習熟度設定部とを備える、語学学習支援装置。
【請求項２】
前記対象者情報取得部は、対象者による音声の識別結果であって、単語を最小単位とする識別結果を取得する、請求項１に記載の語学学習支援装置。
【請求項３】
前記語学学習支援装置は、さらに、
前記習熟度設定部によって設定された前記習熟度を記憶する記憶部を備え、
前記習熟度設定部は、新たな前記学習結果情報に基づいて前記記憶部における前記習熟度を更新する、請求項１または請求項２に記載の語学学習支援装置。
【請求項４】
前記語学学習支援装置は、さらに、
前記習熟度設定部によって設定された前記習熟度に基づいて、複数の学習問題の中から前記対象者に提示すべき学習問題を選択する学習情報作成部を備える、請求項１から請求項３のいずれか１項に記載の語学学習支援装置。
【請求項５】
前記対象者情報取得部は、対象者による文章の聞き取り問題の回答結果を示す学習結果情報、および対象者による単語または熟語の聞き取り問題の回答結果を示す学習結果情報を取得する、請求項１から請求項４のいずれか１項に記載の語学学習支援装置。
【請求項６】
語学学習支援装置における語学学習支援方法であって、
対象者による語学学習結果を示す学習結果情報を取得するステップと、
取得した前記学習結果情報に基づいて、前記対象者の習熟度を発音記号または発音パターンごとに設定するステップとを含む、語学学習支援方法。
【請求項７】
語学学習支援装置において用いられる語学学習支援プログラムであって、
コンピュータに、
対象者による語学学習結果を示す学習結果情報を取得するステップと、
取得した前記学習結果情報に基づいて、前記対象者の習熟度を発音記号または発音パターンごとに設定するステップとを実行させるための、語学学習支援プログラム。
【発明の詳細な説明】
【技術分野】
【０００１】
本発明は、語学学習支援装置、語学学習支援方法および語学学習支援プログラムに関し、特に、対象者の語学学習を支援する語学学習支援装置、語学学習支援方法および語学学習支援プログラムに関する。
【背景技術】
【０００２】
たとえば、特許第５３１８５７２号公報（特許文献１）には、以下のような英語音声発音教育装置が開示されている。すなわち、音声発音教育装置は、ネットワークを介して接続されている講師側端末装置と、受講者側端末装置と、メインサーバとを有する。英語音声発音教育装置において、メインサーバは、データベースとして、音声データと該音声データを示す発音記号データとを関連付けた音声発音データを記憶させたデータベースと、受講生データベースを備えており、当該データベースの他に、ネットワーク機能ブロックと、入力手段からの指示信号を受けてランダムに音声発音データを選択する選択機能ブロックと、選択された音声発音データを再生する音声発音データ再生機能ブロックと、入力手段から入力された発音記号データと選択された音声発音データに対応する発音記号データを比較してその正誤結果を記憶手段に記録する発音記号データ正誤判定機能ブロックと、発音記号データ正誤判定機能ブロックの算出した正誤結果を積算して正誤率と比較回数とを算出する演算機能ブロックと、演算機能ブロックの算出した正誤率と比較回数とをアクセス者毎に記憶手段に記録するアクセス者管理機能ブロックと、発音方法画像や操作ボタン画像また発音記号や正誤情報さらに演算機能ブロックの算出した結果を表示部に表示させる表示機能ブロックとを有し、少なくとも受講者側端末装置の画面上に、必要最小限４２個の英語発音記号表示部を表示させる。
【先行技術文献】
【特許文献】
【０００３】
【特許文献１】特許第５３１８５７２号公報
【発明の概要】
【発明が解決しようとする課題】
【０００４】
特許文献１に記載の英語音声発音教育装置では、たとえば、音声発音データを再生し、再生された音声に該当する発音記号を受講者に選択させる。英語音声発音教育装置は、受講生の選択結果の正誤判定を行う。これにより、受講者は、発音記号を意識した英語の語学学習が可能となる。
【０００５】
しかしながら、英語音声発音教育装置では、たとえば、選択機能ブロックは、入力手段からの指示信号を受けてランダムに音声発音データを選択する。このため、再生された音声には、受講者の得意または不得意な発音記号がランダムに含まれるため、語学学習の効率が悪いという問題がある。
【０００６】
この発明は、上述の課題を解決するためになされたもので、その目的は、語学学習を効率よく行うことが可能な語学学習支援装置、語学学習支援方法および語学学習支援プログラムを提供することである。
【課題を解決するための手段】
【０００７】
（１）上記課題を解決するために、この発明のある局面に係わる語学学習支援装置は、対象者による語学学習結果を示す学習結果情報を取得する対象者情報取得部と、前記対象者情報取得部によって取得された前記学習結果情報に基づいて、前記対象者の習熟度を発音記号または発音パターンごとに設定する習熟度設定部とを備える。
【０００８】
（６）上記課題を解決するために、この発明のある局面に係わる語学学習支援方法は、語学学習支援装置における語学学習支援方法であって、対象者による語学学習結果を示す学習結果情報を取得するステップと、取得した前記学習結果情報に基づいて、前記対象者の習熟度を発音記号または発音パターンごとに設定するステップとを含む。
【０００９】
（７）上記課題を解決するために、この発明のある局面に係わる語学学習支援プログラムは、語学学習支援装置において用いられる語学学習支援プログラムであって、コンピュータに、対象者による語学学習結果を示す学習結果情報を取得するステップと、取得した前記学習結果情報に基づいて、前記対象者の習熟度を発音記号または発音パターンごとに設定するステップとを実行させるためのプログラムである。
【００１０】
本発明は、このような特徴的な処理部を備える語学学習支援装置として実現できるだけでなく、このような特徴的な処理部を備える語学学習支援システムとして実現することができる。また、語学学習支援装置の一部または全部を実現する半導体集積回路として実現することができる。
【発明の効果】
【００１１】
本発明によれば、語学学習を効率よく行うことができる。
【図面の簡単な説明】
【００１２】
【図１】図１は、本発明の実施の形態に係る語学学習支援システムの構成を示す図である。
【図２】図２は、本発明の実施の形態に係る語学学習支援システムにおける端末装置の構成を示す図である。
【図３】図３は、本発明の実施の形態に係る語学学習支援システムにおけるサーバの構成を示す図である。
【図４】図４は、本発明の実施の形態に係る語学学習支援システムにおいて、表示装置に表示される画面の一例を示す図である。
【図５】図５は、本発明の実施の形態に係る語学学習支援システムにおいて、表示装置に表示される画面の一例を示す図である。
【図６】図６は、本発明の実施の形態に係る語学学習支援システムにおいて、表示装置に表示された画面の一例を示す図である。
【図７】図７は、本発明の実施の形態に係る語学学習支援システムにおいて、表示装置に表示された画面の一例を示す図である。
【図８】図８は、本発明の実施の形態に係る語学学習支援システムにおいて、表示装置に表示された画面の一例を示す図である。
【図９】図９は、本発明の実施の形態に係る語学学習支援システムにおいて、表示装置に表示される画面の一例を示す図である。
【図１０】図１０は、本発明の実施の形態に係る語学学習支援システムにおいて、表示装置に表示される画面の一例を示す図である。
【図１１】図１１は、本発明の実施の形態に係る端末装置が対象者の語学学習を支援する際の動作手順を定めたフローチャートである。
【図１２】図１２は、本発明の実施の形態に係る端末装置が文章問題処理を行う際の動作手順を定めたフローチャートである。
【図１３】図１３は、本発明の実施の形態に係る端末装置およびサーバにおける出題情報取得処理のシーケンスの一例を示す図である。
【図１４】図１４は、本発明の実施の形態に係る端末装置が単語問題処理を行う際の動作手順を定めたフローチャートである。
【発明を実施するための形態】
【００１３】
最初に、本発明の実施形態の内容を列記して説明する。
【００１４】
（１）本発明の実施の形態に係る語学学習支援装置は、対象者による語学学習結果を示す学習結果情報を取得する対象者情報取得部と、前記対象者情報取得部によって取得された前記学習結果情報に基づいて、前記対象者の習熟度を発音記号または発音パターンごとに設定する習熟度設定部とを備える。
【００１５】
このように、学習結果情報に基づいて、発音記号または発音パターンごとに対象者の得意または不得意の程度を設定する構成により、たとえば、対象者の不得意な発音記号または発音パターンを容易に取得することができるので、対象者の不得意な発音記号または発音パターンをより多く含む学習問題を対象者に提供することができる。これにより、対象者は、自己の不得意な発音記号または発音パターンを集中的に学習することができるので、たとえば、難解な発音記号または特異な発音パターンを意識することなく、自己の不得意な発音記号または発音パターンを効率よく習得することができる。したがって、語学学習を効率よく行うことができる。
【００１６】
（２）好ましくは、前記対象者情報取得部は、対象者による音声の識別結果であって、単語を最小単位とする識別結果を取得する。
【００１７】
このような構成により、たとえば、文章単位の大まかな識別結果でなく、単語単位のより精細な識別結果を取得することができるので、発音記号または発音パターンごとの習熟度をより正確に設定することができる。
【００１８】
（３）好ましくは、前記語学学習支援装置は、さらに、前記習熟度設定部によって設定された前記習熟度を記憶する記憶部を備え、前記習熟度設定部は、新たな前記学習結果情報に基づいて前記記憶部における前記習熟度を更新する。
【００１９】
このような構成により、対象者のより直近の語学能力を習熟度に適切に反映させることができる。
【００２０】
（４）好ましくは、前記語学学習支援装置は、さらに、前記習熟度設定部によって設定された前記習熟度に基づいて、複数の学習問題の中から前記対象者に提示すべき学習問題を選択する学習情報作成部を備える。
【００２１】
このような構成により、対象者の習熟度に応じた学習問題、具体的にはたとえば対象者にとって難しすぎずかつ簡単すぎない適度な難易度の学習問題を選択することができるので、語学学習の効率を向上させることができる。
【００２２】
（５）好ましくは、前記対象者情報取得部は、対象者による文章の聞き取り問題の回答結果を示す学習結果情報、および対象者による単語または熟語の聞き取り問題の回答結果を示す学習結果情報を取得する。
【００２３】
このような構成により、対象者のより実践的な語学能力を反映した、文章の聞き取り問題の回答結果を示す学習結果情報、および対象者のより基礎的な語学能力を反映した、回答結果を示す学習結果情報の両方を取得することができるので、対象者の語学能力を的確に表す習熟度を設定することができる。
【００２４】
（６）本発明の実施の形態に係る語学学習支援方法は、語学学習支援装置における語学学習支援方法であって、対象者による語学学習結果を示す学習結果情報を取得するステップと、取得した前記学習結果情報に基づいて、前記対象者の習熟度を発音記号または発音パターンごとに設定するステップとを含む。
【００２５】
このように、学習結果情報に基づいて、発音記号または発音パターンごとに対象者の得意または不得意の程度を設定する構成により、たとえば、対象者の不得意な発音記号または発音パターンを容易に取得することができるので、対象者の不得意な発音記号または発音パターンをより多く含む学習問題を対象者に提供することができる。これにより、対象者は、自己の不得意な発音記号または発音パターンを集中的に学習することができるので、たとえば、難解な発音記号または特異な発音パターンを意識することなく、自己の不得意な発音記号または発音パターンを効率よく習得することができる。したがって、語学学習を効率よく行うことができる。
【００２６】
（７）本発明の実施の形態に係る語学学習支援プログラムは、語学学習支援装置において用いられる語学学習支援プログラムであって、コンピュータに、対象者による語学学習結果を示す学習結果情報を取得するステップと、取得した前記学習結果情報に基づいて、前記対象者の習熟度を発音記号または発音パターンごとに設定するステップとを実行させるためのプログラムである。
【００２７】
このように、学習結果情報に基づいて、発音記号または発音パターンごとに対象者の得意または不得意の程度を設定する構成により、たとえば、対象者の不得意な発音記号または発音パターンを容易に取得することができるので、対象者の不得意な発音記号または発音パターンをより多く含む学習問題を対象者に提供することができる。これにより、対象者は、自己の不得意な発音記号または発音パターンを集中的に学習することができるので、たとえば、難解な発音記号または特異な発音パターンを意識することなく、自己の不得意な発音記号または発音パターンを効率よく習得することができる。したがって、語学学習を効率よく行うことができる。
【００２８】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００２９】
［構成および基本動作］
図１は、本発明の実施の形態に係る語学学習支援システムの構成を示す図である。
【００３０】
図１を参照して、語学学習支援システム３０１は、端末装置（語学学習支援装置）１０１と、表示装置１１１と、音声出力装置１１２と、サーバ（語学学習支援装置）１５１とを備える。
【００３１】
端末装置１０１は、たとえば、コンピュータであり、サーバ１５１と情報のやり取りを行いながらユーザである対象者の語学学習を支援する。
【００３２】
音声出力装置１１２は、たとえばアンプ付のスピーカであり、端末装置１０１から受ける音声信号を再生して当該スピーカから音声を出力する。表示装置１１１は、たとえば、ディスプレイであり、端末装置１０１から受ける画面情報を表示する。
【００３３】
なお、端末装置１０１は、スマートホン等のように、表示装置１１１および音声出力装置１１２の少なくともいずれか一方を備えていてもよい。
【００３４】
［端末装置の構成］
図２は、本発明の実施の形態に係る語学学習支援システムにおける端末装置の構成を示す図である。
【００３５】
図２を参照して、端末装置１０１は、受付部２１と、処理部（対象者情報取得部）２２と、習熟度設定部２３と、記憶部２４と、学習問題処理部２５と、表示制御部２６と、音声再生部２７と、通信部３３と、ＳＴＣ生成部３４とを備える。通信部３３は、サーバ１５１と情報の送受信を行う。
【００３６】
学習問題処理部２５は、単語問題選択部（学習情報作成部）２８と、文章問題取得部２９とを含む。記憶部２４は、英単語データベース３０と、熟語データベース３１と、習熟度データベース３２とを含む。以下、英単語データベース３０、熟語データベース３１および習熟度データベース３２を、それぞれ英単語ＤＢ３０、熟語ＤＢ３１および習熟度ＤＢ３２とも称する。
【００３７】
［英単語データベース］
記憶部２４における英単語ＤＢ３０には、対象者に用いるための英単語ごとの英単語学習用情報が保存されている。
【００３８】
英単語学習用情報には、たとえば、対応の英単語のＩＤ（以下、単語ＩＤとも称する。）、当該英単語の、テキストデータ、意味および品詞、発音記号、発音パターン情報ＷＰＰ、類似情報ＷＳ、習熟度ＷＭならびに音声データが含まれる。
【００３９】
発音パターン情報ＷＰＰは、たとえば、対応の英単語において、リンキング、リダクションおよびフラッピングの対象となる部分が含まれるか否かを示す。
【００４０】
ここで、リンキング、リダクションおよびフラッピングは、たとえば当該英単語の本来の発音と異なる発音のパターン（以下、発音パターンとも称する。）である。具体的には、リンキングは、たとえば、「Ｗｈａｔ  ｉｓ  ｉｔ？」の発音において、「Ｗｈａ−ｔｉ−ｓｉ−ｔ？」のように単語同士をつなげて発音することを表す。また、リダクションは、たとえば、「Ｉ  ｃａｎ’ｔ  ｇｅｔ  ｔｏ  ｓｌｅｅｐ．」の発音において、「Ｉ  ｃａｎ’  ｇｅ’  ｔｏ  ｓｌｅｅｐ．」のように単語の末尾を省略または弱くして発音することを表す。また、フラッピングは、たとえば、「Ｗａｔｅｒ」または「ｓｈｕｔ  ｕｐ」の発音において、それぞれ「Ｗａｌｅｒ」または「ｓｈｕｌ−ｕｐ」のように、単語における「ｔ」の音を「ｌ」等の他の音で発音することを表す。
【００４１】
類似情報ＷＳは、たとえば、対応の英単語の発音記号に類似する発音記号を有する英単語または熟語のＩＤ、および対応の英単語に含まれる発音パターンに類似する発音パターンを有する英単語または熟語のＩＤを示す。
【００４２】
習熟度ＷＭは、対象者による対応の英単語の習熟の度合いを示し、たとえば１０段階で表される。
【００４３】
［熟語データベース］
熟語ＤＢ３１には、対象者に用いるための熟語ごとの熟語学習用情報が保存されている。
【００４４】
熟語学習用情報には、対応の熟語のＩＤ（以下、熟語ＩＤとも称する。）、当該熟語の、テキストデータ、意味、発音記号、発音パターン情報ＩＰＰ、類似情報ＩＳ、習熟度ＩＭおよび音声データが含まれる。
【００４５】
発音パターン情報ＩＰＰは、たとえば、対応の熟語において、リンキング、リダクションおよびフラッピングの対象となる部分が含まれるか否かを示す。
【００４６】
類似情報ＩＳは、たとえば、対応の熟語の発音記号に類似する発音記号を有する英単語または熟語のＩＤ、および対応の熟語に含まれる発音パターンに類似する発音パターンを有する英単語または熟語のＩＤを示す。
【００４７】
習熟度ＩＭは、対象者による対応の熟語の習熟の度合いを示し、たとえば１０段階で表される。
【００４８】
［習熟度データベース］
記憶部２４は、たとえば、習熟度設定部２３によって設定された習熟度を記憶する。より詳細には、記憶部２４における習熟度ＤＢ３２は、たとえば、習熟度設定部２３によって作成または更新された、対象者の発音記号ごとの習熟度ＰＭを示す発音記号習熟度情報、および対象者の発音パターンごとの習熟度ＰＰＭを示す発音パターン習熟度情報が保存されている。
【００４９】
［文章単位での語学学習］
端末装置１０１は、たとえば、文章単位での語学学習と、単語または熟語単位での語学学習とのいずれか一方を対象者の要求に応じて当該対象者に提供することが可能である。
【００５０】
ここでは、対象者が、文章単位での語学学習を端末装置１０１に要求する場合について説明する。
【００５１】
対象者は、たとえば、文章単位での語学学習を開始するとき、ログイン処理を行う。対象者は、ログイン処理において、たとえば、文章単位での語学学習を行う旨、ならびに自己のＩＤ、年齢、性別および職業等を入力する操作を受付部２１に対して行う。
【００５２】
受付部２１は、たとえば、対象者の操作を受け付ける。より詳細には、受付部２１は、たとえば、表示装置１１１の画面において行った操作を受け付け、受け付けた内容を示す操作情報を処理部２２へ出力する。
【００５３】
処理部２２は、受付部２１から操作情報を受けると、受けた操作情報に基づいて、対象者が文章単位での語学学習を行うことを認識する。そして、処理部２２は、操作情報に基づいて、文章単位での語学学習を行う旨、ならびに対象者のＩＤ、年齢、性別および職業等を示す開始情報ＳＳ１を作成し、作成した開始情報ＳＳ１を学習問題処理部２５における文章問題取得部２９へ出力する。
【００５４】
文章問題取得部２９は、たとえば、習熟度データベース３２が保持する発音記号ごとの習熟度ＰＭ、および発音パターンごとの習熟度ＰＰＭに基づいて、対象者に提示すべき学習問題、具体的には文章問題をサーバ１５１から取得する。
【００５５】
より詳細には、文章問題取得部２９は、たとえば、処理部２２から開始情報ＳＳ１を受けると、習熟度ＤＢ３２から発音記号習熟度情報および発音パターン習熟度情報を取得する。
【００５６】
また、文章問題取得部２９は、たとえば、対象者が新規のユーザである場合、開始情報ＳＳ１の示す対象者のＩＤ、年齢、性別および職業等を含むログイン情報を作成し、作成したログイン情報を記憶部２４に登録する。また、文章問題取得部２９は、たとえば、対象者が既に登録されたユーザである場合、記憶部２４から当該対象者のログイン情報を取得する。
【００５７】
文章問題取得部２９は、たとえば、発音記号習熟度情報、発音パターン習熟度情報およびログイン情報を通信部３３経由でサーバ１５１へ送信する。
【００５８】
［サーバの構成］
図３は、本発明の実施の形態に係る語学学習支援システムにおけるサーバの構成を示す図である。
【００５９】
図３を参照して、サーバ１５１は、通信部５１と、処理部５２と、記憶部５３と、文章問題選択部（学習情報作成部）５６とを備える。
【００６０】
記憶部５３は、ユーザ別習熟度データベース５４と、文章問題データベース５５とを含む。以下、ユーザ別習熟度データベース５４および文章問題データベース５５を、それぞれユーザ別習熟度ＤＢ５４および文章問題ＤＢ５５とも称する。
【００６１】
［文章問題データベース］
記憶部５３における文章問題ＤＢ５５には、たとえば、文章問題に関する情報を示す複数の問題情報、および文章問題の音声データが保存されている。
【００６２】
ここで、文章問題は、たとえば、１または複数の文章を対象者の聞き取り対象とする問題である。音声データは、たとえばストリームである。より詳細には、音声データには、符号化された音声信号が格納された複数のパケットが含まれる。パケットには、当該パケットに格納された音声信号に基づく音声を出力すべきタイミングを示すＰＴＳ（ｐｒｅｓｅｎｔａｔｉｏｎ  ｔｉｍｅ  ｓｔａｍｐ）等が含まれる。
【００６３】
問題情報には、文章問題に用いる文章のテキストデータ、当該文章の単語数および難易度、発音記号ごとの単語数および熟語数、発音パターンごとの単語数および熟語数、当該文章の音声データの保存先を示すファイルパス、ならびにタイミング情報が含まれる。
【００６４】
ここで、タイミング情報には、対応の文章に含まれる各単語を、先頭から順に時間差を設けて表示するための複数の表示タイミングが時系列順に含まれる。詳細には、表示タイミングは、たとえば、対応の音声データにおける各単語の音声の出力タイミングに基づいて設定される。より詳細には、たとえば、単語Ｗｓを表示すべき表示タイミングは、単語Ｗｓの音声の出力が完了した後のタイミングであって、単語Ｗｓの次の単語の音声の出力が完了する前のタイミングに設定される。
【００６５】
［ユーザ別習熟度データベース］
ユーザ別習熟度ＤＢ５４には、たとえば、対象者に関する情報を示す対象者ごとのユーザ情報が保存されている。
【００６６】
ユーザ情報には、たとえば、対応の対象者の、ＩＤ、年齢、性別および職業、ならびに当該対象者の、発音記号ごとの習熟度ＰＭおよび発音パターンごとの習熟度ＰＰＭが含まれる。
【００６７】
ユーザ情報は、たとえば、サーバ１５１の管理者（以下、サーバ管理者とも称する。）によって、対象者の習熟度ＰＭおよびＰＰＭの傾向、具体的には年代ごとの傾向および性別ごとの傾向等を算出するために用いられる。
【００６８】
また、サーバ管理者は、たとえば、ユーザ情報に基づいて、新たな文章問題の作成、および文章問題ＤＢ５５に保存されている文章問題の改定を行う。
【００６９】
処理部５２は、たとえば、通信部５１経由で端末装置１０１から発音記号習熟度情報、発音パターン習熟度情報およびログイン情報を受信すると、受信した発音記号習熟度情報、発音パターン習熟度情報およびログイン情報から対象者の発音記号ごとの習熟度ＰＭ、当該対象者の発音パターンごとの習熟度ＰＰＭ、ならびに当該対象者のＩＤ、年齢、性別および職業等をそれぞれ取得し、取得したこれらの情報に基づいて、ユーザ別習熟度ＤＢ５４に保存されているユーザ情報を更新する。
【００７０】
また、処理部５２は、たとえば、文章問題を作成させるための問題作成命令を作成し、作成した問題作成命令、ならびに発音記号習熟度情報および発音パターン習熟度情報を文章問題選択部５６へ出力する。
【００７１】
文章問題選択部５６は、たとえば、習熟度設定部２３によって設定された習熟度に基づいて、対象者用の学習情報、具体的には学習問題を作成する。具体的には、文章問題選択部５６は、たとえば、処理部５２から問題作成命令、発音記号習熟度情報および発音パターン習熟度情報を受けると、受けた問題作成命令に従って、対象者用の学習情報を作成する。ここで、学習情報は、学習問題に限らず、対象者への学習提案等であってもよい。
【００７２】
詳細には、文章問題選択部５６は、たとえば、習熟度設定部２３によって設定された習熟度に基づいて、複数の学習問題の中から対象者に提示すべき学習問題を選択する。具体的には、文章問題選択部５６は、たとえば、処理部５２から受けた発音記号習熟度情報および発音パターン習熟度情報に基づいて、複数の学習問題の中から対象者に提示すべき文章問題を選択する。
【００７３】
より詳細には、文章問題選択部５６は、たとえば、発音記号習熟度情報および発音パターン習熟度情報に基づいて、文章問題ＤＢ５５に保存されている各問題情報の中から対象者に提示すべき問題情報を選択する。
【００７４】
この際、文章問題選択部５６は、たとえば、発音記号習熟度情報の示す対象者の発音記号ごとの習熟度ＰＭのうち、習熟度ＰＭの低い方から所定の順位以内の習熟度ＰＭの発音記号（以下、対象発音記号とも称する。）を取得する。
【００７５】
また、文章問題選択部５６は、たとえば、発音パターン習熟度情報の示す対象者の発音パターンごとの習熟度ＰＰＭのうち、習熟度ＰＰＭの低い方から所定の順位以内の習熟度ＰＰＭの発音パターン（以下、対象発音パターンとも称する。）を取得する。
【００７６】
文章問題選択部５６は、たとえば、文章問題ＤＢ５５に保存されている各問題情報のうち、対象発音記号を所定数以上有する文章問題を含む問題情報、または対象発音パターンを所定数以上有する文章問題を含む問題情報を選択する。
【００７７】
また、文章問題選択部５６は、たとえば、前回の学習に用いてから所定時間経過した問題情報を選択する。また、文章問題選択部５６は、たとえば、発音記号習熟度情報および発音パターン習熟度情報に基づいて対象者の語彙レベルを推測し、推測した語彙レベルに応じた問題情報を選択する。
【００７８】
文章問題選択部５６は、複数個たとえば１０個の問題情報を選択し、選択した各問題情報からテキストデータおよびタイミング情報をそれぞれ取得するとともに、当該各問題情報に含まれるファイルパスの示す音声データを文章問題ＤＢ５５から取得する。
【００７９】
文章問題選択部５６は、取得した各テキストデータ、各タイミング情報および各音声データを含む出題情報ＰＳ１を作成し、作成した出題情報ＰＳ１を処理部５２へ出力する。
【００８０】
処理部５２は、問題作成命令の応答として文章問題選択部５６から出題情報ＰＳ１を受けると、受けた出題情報ＰＳ１を通信部５１経由で端末装置１０１へ送信する。
【００８１】
［語学学習支援装置の構成その２］
再び図２を参照して、学習問題処理部２５における文章問題取得部２９は、サーバ１５１から通信部３３経由で出題情報ＰＳ１を受信すると、受信した出題情報ＰＳ１を処理部２２へ出力する。
【００８２】
処理部２２は、文章問題取得部２９から出題情報ＰＳ１を受けると、受けた出題情報ＰＳ１から１０問の文章問題（以下、ｎ番目の文章問題を文章問題ＱＳｎとも称する。）を取得する。各文章問題には、テキストデータ、タイミング情報および音声データがそれぞれ含まれる。
【００８３】
図４は、本発明の実施の形態に係る語学学習支援システムにおいて、表示装置に表示される画面の一例を示す図である。図４には、たとえば文章問題ＱＳ１において、各単語に黒塗りが施された状態の画面Ｓｃ０が示される。
【００８４】
処理部２２は、対象者による語学学習結果を示す学習結果情報を取得する。処理部２２は、たとえば、対象者による音声の識別結果であって、単語を最小単位とする識別結果を取得する。具体的には、たとえば、処理部２２は、対象者による文章の聞き取り問題の回答結果を示す学習結果情報を取得する。
【００８５】
具体的には、処理部２２は、たとえば、文章問題ＱＳ１〜ＱＳ１０を１問ずつ対象者に提示する。そして、処理部２２は、提示した文章問題に対する対象者の回答結果を示す学習結果情報として、たとえば、対象者にとって聞き取りが困難であった単語（以下、困難単語とも称する。）、当該困難単語に対する対象者の理解レベル、および対象者が聞き取り可能であった単語（以下、理解単語とも称する。）を取得する。
【００８６】
ここで、理解レベルは、たとえば、困難単語の聞き取りの困難さの程度、および困難単語の文章における意味の理解の程度を表す。
【００８７】
より詳細には、処理部２２は、たとえば、図４に示すように、文章問題ＱＳ１の文章に含まれる各単語に黒塗りを施した画面Ｓｃ０を表示するための画面情報を作成し、作成した画面情報を表示制御部２６へ出力するとともに、文章問題ＱＳ１の音声データを音声再生部２７へ出力する。
【００８８】
表示制御部２６は、たとえば、処理部２２から画面情報を受けると、受けた画面情報を用いて画面Ｓｃ０を表示装置１１１に表示する制御を行う。
【００８９】
ＳＴＣ生成部３４は、音声データの再生に用いるためのシステム時刻基準値すなわちＳＴＣ（Ｓｙｓｔｅｍ  Ｔｉｍｅ  Ｃｌｏｃｋ）を生成し、生成したＳＴＣを処理部２２および音声再生部２７へ出力する。
【００９０】
音声再生部２７は、処理部２２から音声データを受けると、受けた音声データの先頭からパケットを順次取得する。音声再生部２７は、パケットを取得するごとに、符号化された音声信号とＰＴＳとを当該パケットから取得し、符号化された音声信号を復号する。そして、音声再生部２７は、たとえば、ＰＴＳの示すタイミングとＳＴＣ生成部３４から出力されるＳＴＣとが一致すると、復号した音声信号を音声出力装置１１２へ出力する。
【００９１】
これにより、対象者は、文章問題ＱＳ１の音声を音声出力装置１１２から聞くことができる。
【００９２】
図５は、本発明の実施の形態に係る語学学習支援システムにおいて、表示装置に表示される画面の一例を示す図である。図５には、図４と比べて、文章問題ＱＳ１において、Ｗ１を付した「Ｓｕｍｉｔｏｍｏ」の単語のみが黒塗り無しで表示されている画面Ｓｃ１が示される。
【００９３】
処理部２２は、たとえば、文章問題ＱＳ１のタイミング情報から１番目の表示タイミングを取得する。処理部２２は、たとえば、ＳＴＣ生成部３４から出力されるＳＴＣを監視し、監視しているＳＴＣと取得した１番目の表示タイミングとが一致すると、１番目の単語すなわち「Ｓｕｍｉｔｏｍｏ」に黒塗りを施さない画面Ｓｃ１を表示するための画面情報を作成し、作成した画面情報を表示制御部２６へ出力する。
【００９４】
表示制御部２６は、たとえば、処理部２２から画面情報を受けると、受けた画面情報を用いて画面Ｓｃ１を表示装置１１１に表示する制御を行う。
【００９５】
ここで、Ｗ１を付した「Ｓｕｍｉｔｏｍｏ」の表示タイミングは、たとえば、Ｗ１を付した「Ｓｕｍｉｔｏｍｏ」の音声の出力が完了した後のタイミングであって、次の単語であるＷ２を付した黒塗りの単語の音声の出力が完了する前のタイミングに設定されている。
【００９６】
これにより、対象者は、たとえば、Ｗ１を付した「Ｓｕｍｉｔｏｍｏ」の音声を聞いた後に、「Ｓｕｍｉｔｏｍｏ」のスペルを画面Ｓｃ１において確認することができる。また、対象者は、音声付きの文章問題を解くことにより、難解な発音記号または特異な発音パターンを意識することなく発音を学ぶことができる。
【００９７】
また、処理部２２は、たとえば、ＳＴＣの増加に従って、Ｗ２を付した黒塗りの単語以降の単語についても黒塗り無しで画面に表示するための画面情報を順次作成して表示制御部２６へ出力する。
【００９８】
図６は、本発明の実施の形態に係る語学学習支援システムにおいて、表示装置に表示された画面の一例を示す図である。図６には、図５と比べて、文章問題ＱＳ１において、Ｗ３を付した「ｄｉｖｅｒｓｅ」までの各単語が黒塗り無しで表示されている画面Ｓｃ２が示される。
【００９９】
図７は、本発明の実施の形態に係る語学学習支援システムにおいて、表示装置に表示された画面の一例を示す図である。図７には、図６と比べて、文章問題ＱＳ１において、Ｗ３の「ｄｉｖｅｒｓｅ」にハッチングが施されている画面Ｓｃ３が示される。
【０１００】
図６および図７を参照して、対象者は、たとえば、ある単語の音声を聞いて、聞いた音声に基づいて想定した単語と、当該音声に遅れて画面に表示された単語とが一致するか否かを確認する。
【０１０１】
対象者は、たとえば、両単語が一致しかつ当該単語の意味を理解した場合、正しく聞き取ることができたと判断し、次の単語についても同様の確認を行う。
【０１０２】
一方、対象者は、たとえば、当該単語の意味を理解することが困難であった場合、または両単語が一致しない場合、正しく聞き取ることが困難であったと判断し、マウス等のポインティングデバイスを用いて画面における対応の単語すなわち困難単語をクリックする。この際、対象者は、困難単語の理解レベルを、ポインティングデバイスを用いてたとえば１０段階で入力する。
【０１０３】
具体的には、対象者は、たとえば、Ｗ３を付した「ｄｉｖｅｒｓｅ」の単語について、音声から想定した単語と、当該音声に遅れて画面Ｓｃ２に表示された単語とが一致しなかった場合、ポインティングデバイスを用いて、画面Ｓｃ２における「ｄｉｖｅｒｓｅ」をクリックするとともに理解レベルを入力する。
【０１０４】
受付部２１は、たとえば、対象者による画面Ｓｃ２におけるポインティングデバイスの操作の内容を取得し、取得した操作の内容を示す操作情報を作成して処理部２２へ出力する。
【０１０５】
処理部２２は、受付部２１から操作情報を受けると、受けた操作情報に基づいて、困難単語としての「ｄｉｖｅｒｓｅ」、および対象者により入力された理解レベルを取得する。
【０１０６】
また、処理部２２は、たとえば、Ｗ３の「ｄｉｖｅｒｓｅ」にハッチングが施された画面Ｓｃ３を表示するための画面情報を作成し、作成した画面情報を表示制御部２６へ出力する。
【０１０７】
表示制御部２６は、たとえば、処理部２２から画面情報を受けると、受けた画面情報を用いて画面Ｓｃ３を表示装置１１１に表示する制御を行う。
【０１０８】
図８は、本発明の実施の形態に係る語学学習支援システムにおいて、表示装置に表示された画面の一例を示す図である。図８には、図７と比べて、文章問題ＱＳ１において、すべての単語が黒塗り無しで表示されている画面Ｓｃ４が示される。
【０１０９】
図８を参照して、対象者は、たとえば、文章問題の音声を最後まで聞いて、Ｗ３を付した「ｄｉｖｅｒｓｅ」以外に聞き取ることが困難であった単語が無い場合、ポインティングデバイスを用いて画面Ｓｃ４におけるボタンＢｎをクリックする。
【０１１０】
受付部２１は、たとえば、ユーザによる画面に対するポインティングデバイスの操作の内容を取得し、取得した操作の内容を示す操作情報を作成して処理部２２へ出力する。
【０１１１】
処理部２２は、受付部２１から操作情報を受けると、受けた操作情報に基づいて文章問題ＱＳ１が完了したと認識し、たとえば、文章問題ＱＳ１の文章における各単語のうち、困難単語であるＷ３を付した「ｄｉｖｅｒｓｅ」以外の各単語を理解単語として取得する。
【０１１２】
処理部２２は、文章問題ＱＳ２〜ＱＳ１０についても、文章問題ＱＳ１と同様に処理する。たとえば、処理部２２は、文章問題ＱＳ１０の処理が完了すると、文章問題ＱＳ１〜ＱＳ１０に対する困難単語、理解レベルおよび理解単語を学習結果情報として習熟度設定部２３へ出力する。
【０１１３】
習熟度設定部２３は、処理部２２によって取得された学習結果情報に基づいて、対象者の習熟度を発音記号または発音パターンごとに設定する。また、習熟度設定部２３は、たとえば、新たな学習結果情報に基づいて記憶部２４における習熟度を更新する。
【０１１４】
具体的には、習熟度設定部２３は、たとえば、新たな学習結果情報として処理部２２から受けた困難単語、理解レベルおよび理解単語を分析する。
【０１１５】
より詳細には、習熟度設定部２３は、たとえば、ある発音記号について、聞き取ることができた単語の個数を示すポイントＰ１を算出し、また、聞き取ることができなかった単語の個数を示すポイントＰ２を算出する。この際、習熟度設定部２３は、たとえば、理解レベルに基づいてポイントＰ２を補正する。習熟度設定部２３は、たとえば、ポイントＰ１からポイントＰ２を差し引くことにより習熟度ＰＭを算出する。習熟度設定部２３は、たとえば発音記号ごとに習熟度ＰＭを算出する。
【０１１６】
習熟度設定部２３は、たとえば、記憶部２４における習熟度ＤＢ３２において発音記号習熟度情報が保存されている場合、算出した発音記号ごとの習熟度ＰＭを用いて当該発音記号習熟度情報を更新し、また、習熟度ＤＢ３２において発音記号習熟度情報が保存されていない場合、発音記号ごとの習熟度ＰＭを用いて発音記号習熟度情報を新たに作成する。
【０１１７】
また、習熟度設定部２３は、たとえば、ある発音パターンについて、聞き取ることができた単語の個数を示すポイントＰ３を算出し、また、聞き取ることができなかった単語の個数を示すポイントＰ４を算出する。この際、習熟度設定部２３は、たとえば、理解レベルに基づいてポイントＰ４を補正する。習熟度設定部２３は、たとえば、ポイントＰ３からポイントＰ４を差し引くことにより習熟度ＰＰＭを算出する。習熟度設定部２３は、たとえば発音パターンごとに習熟度ＰＰＭを算出する。
【０１１８】
習熟度設定部２３は、たとえば、記憶部２４における習熟度ＤＢ３２において発音パターン習熟度情報が保存されている場合、算出した発音パターンごとの習熟度ＰＰＭを用いて当該発音パターン習熟度情報を更新し、また、習熟度ＤＢ３２において発音パターン習熟度情報が保存されていない場合、発音パターンごとの習熟度ＰＰＭを用いて発音パターン習熟度情報を新たに作成する。
【０１１９】
また、習熟度設定部２３は、たとえば、記憶部２４における英単語ＤＢ３０において、困難単語に対応する英単語学習情報の習熟度ＷＭを、理解レベルに応じて下げ、また、理解単語に対応する英単語学習情報の習熟度ＷＭを上げる。
【０１２０】
また、習熟度設定部２３は、たとえば、記憶部２４における熟語ＤＢ３１において、困難単語を含む熟語に対応する熟語学習用情報の習熟度ＩＭを、理解レベルに応じて下げ、また、理解単語を含む熟語に対応する熟語学習情報の習熟度ＩＭを上げる。
【０１２１】
［単語または熟語単位での語学学習］
ここでは、対象者が、単語または熟語単位での語学学習を端末装置１０１に要求する場合について説明する。
【０１２２】
再び図２を参照して、対象者は、たとえば、単語単位での語学学習を開始するとき、ログイン処理を行う。対象者は、ログイン処理において、たとえば、単語単位での語学学習を行う旨を入力する操作を受付部２１に対して行う。
【０１２３】
受付部２１は、たとえば、表示装置１１１の画面において行った操作を受け付け、受け付けた内容を示す操作情報を処理部２２へ出力する。
【０１２４】
処理部２２は、受付部２１から操作情報を受けると、受けた操作情報に基づいて、対象者が単語単位での語学学習を行うことを認識する。そして、処理部２２は、操作情報に基づいて、単語単位での語学学習を行う旨を示す開始情報ＳＷ１を作成し、作成した開始情報ＳＷ１を学習問題処理部２５における単語問題選択部２８へ出力する。
【０１２５】
単語問題選択部２８は、たとえば、習熟度設定部２３によって設定された習熟度に基づいて、対象者用の学習情報、具体的には学習問題を作成する。ここで、学習情報は、学習問題に限らず、対象者への学習提案等であってもよい。
【０１２６】
具体的には、単語問題選択部２８は、たとえば、処理部２２から開始情報ＳＷ１を受けると、習熟度ＤＢ３２から発音記号習熟度情報および発音パターン習熟度情報を取得する。
【０１２７】
単語問題選択部２８は、たとえば、習熟度設定部２３によって設定された習熟度に基づいて、複数の学習問題の中から対象者に提示すべき学習問題を選択する。具体的には、単語問題選択部２８は、たとえば、取得した発音記号習熟度情報および発音パターン習熟度情報に基づいて、複数の学習問題の中から対象者に提示すべき単語問題を選択する。
【０１２８】
より詳細には、単語問題選択部２８は、たとえば、発音記号習熟度情報および発音パターン習熟度情報に基づいて、英単語ＤＢ３０または熟語ＤＢ３１にそれぞれ保存されている英単語学習用情報または熟語学習用情報の中から対象者への出題に用いるべき英単語学習用情報または熟語学習用情報を選択する。
【０１２９】
この際、単語問題選択部２８は、たとえば、英単語ＤＢ３０に保存されている各英単語学習用情報のうち、対象発音記号を有する英単語、または対象発音パターンを有する英単語を含む英単語学習用情報を選択する。
【０１３０】
また、単語問題選択部２８は、たとえば、熟語ＤＢ３１に保存されている各熟語学習用情報のうち、対象発音記号を有する熟語、または対象発音パターンを有する熟語を含む熟語学習用情報を選択する。
【０１３１】
また、単語問題選択部２８は、たとえば、前回の学習に用いてから所定時間経過した英単語学習用情報または熟語学習用情報を選択する。また、単語問題選択部２８は、たとえば、発音記号習熟度情報および発音パターン習熟度情報に基づいて対象者の語彙レベルを推測し、推測した語彙レベルに応じた英単語または熟語をそれぞれ含む単語学習用情報または熟語学習用情報を選択する。
【０１３２】
単語問題選択部２８は、たとえば、複数個たとえば合計で１０個の単語学習用情報または熟語学習用情報を選択し、選択した単語学習用情報から英単語のテキストデータおよび対応の音声データを取得するとともに、熟語学習用情報から熟語のテキストデータおよび対応の音声データを取得する。
【０１３３】
単語問題選択部２８は、取得した各テキストデータおよび各音声データを含む出題情報ＰＷ１を作成し、作成した出題情報ＰＷ１を処理部２２へ出力する。
【０１３４】
処理部２２は、単語問題選択部２８から出題情報ＰＷ１を受けると、受けた出題情報ＰＷ１から１０問の単語問題（以下、ｎ番目の単語問題を単語問題ＱＷｎとも称する。）を作成する。各単語問題には、対応のテキストデータおよび音声データがそれぞれ含まれる。
【０１３５】
図９は、本発明の実施の形態に係る語学学習支援システムにおいて、表示装置に表示される画面の一例を示す図である。図９には、たとえば単語問題ＱＷ１において、単語に黒塗りが施された画面Ｓｃ１１が示される。
【０１３６】
処理部２２は、たとえば、対象者による音声の識別結果であって、単語を最小単位とする識別結果を取得する。具体的には、処理部２２は、たとえば、対象者による単語または熟語の聞き取り問題の回答結果を示す学習結果情報を取得する。
【０１３７】
具体的には、処理部２２は、たとえば、文章問題と同様に、単語問題ＱＷ１〜ＱＷ１０のうち１問ずつ対象者に提示する。そして、処理部２２は、提示した単語問題に対する対象者の回答結果を示す学習結果情報として、たとえば、提示した単語または熟語が対象者にとって聞き取りが困難であったか否かを示す識別結果情報を取得する。
【０１３８】
より詳細には、処理部２２は、たとえば、図９に示すように、Ｗ４を付した、単語問題ＱＷ１に用いる単語に黒塗りを施した画面Ｓｃ１１を表示するための画面情報を作成し、作成した画面情報を表示制御部２６へ出力するとともに、単語問題ＱＷ１の音声データを音声再生部２７へ出力する。
【０１３９】
表示制御部２６は、たとえば、処理部２２から画面情報を受けると、受けた画面情報を用いて画面Ｓｃ１１を表示装置１１１に表示する制御を行う。
【０１４０】
音声再生部２７は、処理部２２から音声データを受けると、受けた音声データに基づいて音声信号を復号し、復号した音声信号を音声出力装置１１２へ出力する。
【０１４１】
これにより、対象者は、単語問題ＱＷ１の音声を音声出力装置１１２から聞くことができる。
【０１４２】
図１０は、本発明の実施の形態に係る語学学習支援システムにおいて、表示装置に表示される画面の一例を示す図である。図１０には、図９と比べて、単語問題ＱＷ１において、Ｗ４を付した「ｃｏｎｔｉｎｕｅ」の単語に対して黒塗りが施されていない画面Ｓｃ１２が示される。
【０１４３】
処理部２２は、たとえば、単語問題ＱＷ１の音声データを音声再生部２７へ出力してから所定時間Ｔ２経過すると、Ｗ４を付した単語に黒塗りが施されていない画面Ｓｃ１２を表示するための画面情報を作成し、作成した画面情報を表示制御部２６へ出力する。
【０１４４】
表示制御部２６は、たとえば、処理部２２から画面情報を受けると、受けた画面情報を用いて画面Ｓｃ１２を表示装置１１１に表示する制御を行う。
【０１４５】
これにより、対象者は、たとえば、Ｗ４を付した「ｃｏｎｔｉｎｕｅ」の音声を聞いた後に、「ｃｏｎｔｉｎｕｅ」のスペルを画面Ｓｃ１２において確認することができる。また、対象者は、音声付きの単語問題を解くことにより、難解な発音記号または特異な発音パターンを意識することなく発音を学ぶことができる。
【０１４６】
対象者は、たとえば、音声出力装置１１２から聞いた音声に基づいて想定した単語と、当該音声に遅れて画面Ｓｃ１２に表示された単語とが一致するか否かを確認する。
【０１４７】
対象者は、たとえば、両単語が一致しかつ当該単語の意味を理解した場合、正しく聞き取ることができたと判断し、ポインティングデバイスを用いてボタンＢｐをクリックする。一方、対象者は、たとえば、当該単語の意味を理解することが困難であった場合、または両単語が一致しない場合、正しく聞き取ることが困難であったと判断し、ポインティングデバイスを用いてボタンＢｉをクリックする。
【０１４８】
受付部２１は、たとえば、対象者による画面Ｓｃ１２に対するポインティングデバイスの操作の内容を取得し、取得した操作の内容を示す操作情報を作成して処理部２２へ出力する。
【０１４９】
処理部２２は、受付部２１から操作情報を受けると、受けた操作情報に基づいて、単語問題ＱＷ１に対する識別結果情報を作成する。
【０１５０】
処理部２２は、単語問題ＱＷ２〜ＱＷ１０についても、単語問題ＱＷ１と同様に処理する。たとえば、処理部２２は、単語問題ＱＷ１０の処理が完了すると、単語問題ＱＷ１〜ＱＷ１０および対応の識別結果情報を学習結果情報として習熟度設定部２３へ出力する。
【０１５１】
習熟度設定部２３は、たとえば、新たな学習結果情報として処理部２２から受けた単語問題ＱＷ１〜ＱＷ１０および対応の識別結果情報を分析する。
【０１５２】
より詳細には、習熟度設定部２３は、たとえば、ある発音記号について、単語問題ＱＷ１〜ＱＷ１０のうち聞き取ることができた単語または熟語の個数を示すポイントＰ５を識別結果情報に基づいて算出し、また、単語問題ＱＷ１〜ＱＷ１０のうち聞き取ることができなかった単語または熟語の個数を示すポイントＰ６を識別結果情報に基づいて算出する。習熟度設定部２３は、たとえば、ポイントＰ５からポイントＰ６を差し引くことにより習熟度ＰＭを算出する。習熟度設定部２３は、たとえば発音記号ごとに習熟度ＰＭを算出する。
【０１５３】
習熟度設定部２３は、たとえば、算出した発音記号ごとの習熟度ＰＭを用いて習熟度ＤＢ３２における発音記号習熟度情報を作成または更新する。
【０１５４】
また、習熟度設定部２３は、たとえば、ある発音パターンについて、単語問題ＱＷ１〜ＱＷ１０のうち聞き取ることができた単語または熟語の個数を示すポイントＰ７を識別結果情報に基づいて算出し、また、単語問題ＱＷ１〜ＱＷ１０のうち聞き取ることができなかった単語または熟語の個数を示すポイントＰ８を識別結果情報に基づいて算出する。習熟度設定部２３は、たとえば、ポイントＰ７からポイントＰ８を差し引くことにより習熟度ＰＰＭを算出する。習熟度設定部２３は、たとえば発音パターンごとに習熟度ＰＰＭを算出する。
【０１５５】
習熟度設定部２３は、たとえば、算出した発音パターンごとの習熟度ＰＰＭを用いて習熟度ＤＢ３２における発音パターン習熟度情報を作成または更新する。
【０１５６】
また、習熟度設定部２３は、たとえば、記憶部２４における英単語ＤＢ３０において、困難単語に対応する英単語学習情報の習熟度ＷＭを下げ、また、理解単語に対応する英単語学習情報の習熟度ＷＭを上げる。
【０１５７】
また、習熟度設定部２３は、たとえば、記憶部２４における熟語ＤＢ３１において、困難単語を含む熟語に対応する熟語学習用情報の習熟度ＩＭを下げ、また、理解単語を含む熟語に対応する熟語学習情報の習熟度ＩＭを上げる。
【０１５８】
［動作］
語学学習支援システム３０１における各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１５９】
図１１は、本発明の実施の形態に係る端末装置が対象者の語学学習を支援する際の動作手順を定めたフローチャートである。
【０１６０】
まず、端末装置１０１は、ユーザによるログイン処理が行われるまで待機し（ステップＳ１０２でＮＯ）、ユーザによるログイン処理が行われると（ステップＳ１０２でＹＥＳ）、当該ログイン処理において、文章単位と単語または熟語単位とのいずれの語学学習を行うかについての選択結果、ならびに当該ユーザすなわち対象者のＩＤ等の必要な情報を取得する。
【０１６１】
次に、端末装置１０１は、対象者の習熟度として、記憶部２４における習熟度ＤＢ３２から発音記号習熟度情報および発音パターン習熟度情報を取得する（ステップＳ１０２）。
【０１６２】
次に、端末装置１０１は、対象者が文章単位での語学学習を選択した場合（ステップＳ１０６でＹＥＳ）、文章問題処理を行う（ステップＳ１０８）。
【０１６３】
一方、端末装置１０１は、対象者が単語または熟語単位での語学学習を選択した場合（ステップＳ１０６でＮＯ）、単語問題処理を行う（ステップＳ１１０）。
【０１６４】
図１２は、本発明の実施の形態に係る端末装置が文章問題処理を行う際の動作手順を定めたフローチャートである。図１２は、図１１のステップＳ１０８における動作の詳細を示している。
【０１６５】
まず、端末装置１０１は、出題情報取得処理を行う（ステップＳ２０２）。
【０１６６】
次に、端末装置１０１は、取得した出題情報ＰＳ１から１または複数の文章問題を取得する（ステップＳ２０４）。
【０１６７】
次に、端末装置１０１は、最初の文章問題の音声再生および文章表示を開始する（ステップＳ２０６）。
【０１６８】
次に、端末装置１０１は、当該文章問題の音声再生および文章表示が終了するまで対象者からの入力を待ち受け（ステップＳ２０８でＮＯおよびステップＳ２１２でＮＯ）、対象者からの入力が発生すると（ステップＳ２０８でＹＥＳ）、対象者による入力に基づいて困難単語および当該困難単語の理解レベルを取得する（ステップＳ２１０）。
【０１６９】
一方、端末装置１０１は、当該文章問題の音声再生および文章表示が終了すると（ステップＳ２１２でＹＥＳ）、当該文章問題から理解単語を取得する（ステップＳ２１４）。
【０１７０】
次に、端末装置１０１は、当該文章問題が最終問題でない場合（ステップＳ２１６でＮＯ）、次の文章問題の音声再生および文章表示を開始する（ステップＳ２０６）。
【０１７１】
一方、端末装置１０１は、当該文章問題が最終問題である場合（ステップＳ２１６でＹＥＳ）、取得した困難単語、理解レベルおよび理解単語に基づいて記憶部２４における習熟度を更新する（ステップＳ２１８）。
【０１７２】
図１３は、本発明の実施の形態に係る端末装置およびサーバにおける出題情報取得処理のシーケンスの一例を示す図である。図１３は、図１２のステップＳ２０２における動作の詳細を示している。
【０１７３】
まず、端末装置１０１は、対象者のＩＤ等に基づいてログイン情報を登録または取得し、発音記号習熟度情報、発音パターン習熟度情報およびログイン情報をサーバ１５１へ送信する（ステップＳ２５２）。
【０１７４】
次に、サーバ１５１は、端末装置１０１から発音記号習熟度情報、発音パターン習熟度情報およびログイン情報を受信すると、受信した発音記号習熟度情報、発音パターン習熟度情報およびログイン情報に基づいて、ユーザ別習熟度ＤＢ５４に保存されているユーザ情報を更新する（ステップＳ２５４）。
【０１７５】
次に、サーバ１５１は、発音記号習熟度情報および発音パターン習熟度情報に基づいて、文章問題ＤＢ５５に保存されている各問題情報の中から対象者に提示すべき問題情報を選択して取得する（ステップＳ２５６）。
【０１７６】
次に、サーバ１５１は、取得した問題情報からテキストデータおよびタイミング情報を取得するとともに、当該問題情報に含まれるファイルパスの示す音声データを文章問題ＤＢ５５から取得する。サーバ１５１は、取得したテキストデータ、タイミング情報および音声データを含む出題情報ＰＳ１を作成し、作成した出題情報ＰＳ１を端末装置１０１へ送信する（ステップＳ２５８）。
【０１７７】
図１４は、本発明の実施の形態に係る端末装置が単語問題処理を行う際の動作手順を定めたフローチャートである。図１４は、図１１のステップＳ１１０における動作の詳細を示している。
【０１７８】
まず、端末装置１０１は、対象者の習熟度に応じた単語問題を英単語ＤＢ３０および熟語ＤＢ３１から選択して取得する（ステップＳ３０２）。
【０１７９】
次に、端末装置１０１は、最初の単語問題の単語を、黒塗りを施して表示装置１１１に表示するとともに音声を再生する（ステップＳ３０４）。
【０１８０】
次に、端末装置１０１は、所定時間Ｔ２待機する（ステップＳ３０６）。
【０１８１】
次に、端末装置１０１は、単語問題の単語を、黒塗りを施さないで表示装置１１１に表示する（ステップＳ３０８）。
【０１８２】
次に、端末装置１０１は、対象者の入力に基づいて、当該単語についての識別結果情報を作成し、作成した識別結果情報を保持する（ステップＳ３１０）。
【０１８３】
次に、端末装置１０１は、当該単語問題が最終問題でない場合（ステップＳ３１２でＮＯ）、次の単語問題の単語を、黒塗りを施して表示装置１１１に表示するとともに音声を再生する（ステップＳ３０４）。
【０１８４】
一方、端末装置１０１は、当該単語問題が最終問題である場合（ステップＳ３１２でＹＥＳ）、保持している識別結果情報に基づいて習熟度ＤＢ３２における発音記号習熟度情報および発音パターン習熟度情報を更新する（ステップＳ３１４）。
【０１８５】
なお、本発明の実施の形態に係る語学学習支援システムは、語学学習支援装置として、端末装置１０１およびサーバ１５１を備える構成であるとしたが、これに限定するものではない。たとえば、語学学習支援システム３０１は、端末装置１０１およびサーバ１５１が一体化された１つの装置を語学学習支援装置として備える構成であってもよい。
【０１８６】
また、本発明の実施の形態に係る語学学習支援システムにおいて、端末装置１０１単体が語学学習支援装置に相当してもよいし、サーバ１５１単体が語学学習支援装置に相当してもよい。
【０１８７】
ところで、特許文献１に記載の英語音声発音教育装置では、たとえば、音声発音データを再生し、再生された音声に該当する発音記号を受講者に選択させる。英語音声発音教育装置は、受講生の選択結果の正誤判定を行う。これにより、受講者は、発音記号を意識した英語の語学学習が可能となる。
【０１８８】
しかしながら、英語音声発音教育装置では、たとえば、選択機能ブロックは、入力手段からの指示信号を受けてランダムに音声発音データを選択する。このため、再生された音声には、受講者の得意または不得意な発音記号がランダムに含まれるため、語学学習の効率が悪いという問題がある。
【０１８９】
これに対して、本発明の実施の形態に係る語学学習支援装置では、処理部２２は、対象者による語学学習結果を示す学習結果情報を取得する。習熟度設定部２３は、処理部２２によって取得された学習結果情報に基づいて、対象者の習熟度を発音記号または発音パターンごとに設定する。
【０１９０】
このように、学習結果情報に基づいて、発音記号または発音パターンごとに対象者の得意または不得意の程度を設定する構成により、たとえば、対象者の不得意な発音記号または発音パターンを容易に取得することができるので、対象者の不得意な発音記号または発音パターンをより多く含む学習問題を対象者に提供することができる。これにより、対象者は、自己の不得意な発音記号または発音パターンを集中的に学習することができるので、たとえば、難解な発音記号または特異な発音パターンを意識することなく、自己の不得意な発音記号または発音パターンを効率よく習得することができる。したがって、語学学習を効率よく行うことができる。
【０１９１】
また、本発明の実施の形態に係る語学学習支援装置では、処理部２２は、対象者による音声の識別結果であって、単語を最小単位とする識別結果を取得する。
【０１９２】
このような構成により、たとえば、文章単位の大まかな識別結果でなく、単語単位のより精細な識別結果を取得することができるので、発音記号または発音パターンごとの習熟度をより正確に設定することができる。
【０１９３】
また、本発明の実施の形態に係る語学学習支援装置では、記憶部２４は、習熟度設定部２３によって設定された習熟度を記憶する。そして、習熟度設定部２３は、新たな学習結果情報に基づいて記憶部２４における習熟度を更新する。
【０１９４】
このような構成により、対象者のより直近の語学能力を習熟度に適切に反映させることができる。
【０１９５】
また、本発明の実施の形態に係る語学学習支援装置では、文章問題選択部５６は、習熟度設定部２３によって設定された習熟度に基づいて、複数の学習問題の中から対象者に提示すべき学習問題、具体的には文章問題を選択する。また、単語問題選択部２８は、習熟度設定部２３によって設定された習熟度に基づいて、複数の学習問題の中から対象者に提示すべき学習問題、具体的には単語問題を選択する。
【０１９６】
このような構成により、対象者の習熟度に応じた学習問題、具体的にはたとえば対象者にとって難しすぎずかつ簡単すぎない適度な難易度の学習問題を選択することができるので、語学学習の効率を向上させることができる。
【０１９７】
また、本発明の実施の形態に係る語学学習支援装置では、処理部２２は、対象者による文章の聞き取り問題の回答結果を示す学習結果情報、および対象者による単語または熟語の聞き取り問題の回答結果を示す学習結果情報を取得する。
【０１９８】
このような構成により、対象者のより実践的な語学能力を反映した、文章の聞き取り問題の回答結果を示す学習結果情報、および対象者のより基礎的な語学能力を反映した、回答結果を示す学習結果情報の両方を取得することができるので、対象者の語学能力を的確に表す習熟度を設定することができる。
【０１９９】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２００】
以上の説明は、以下に付記する特徴を含む。
【０２０１】
［付記１］
語学学習支援装置であって、
対象者による語学学習結果を示す学習結果情報を取得する対象者情報取得部と、
前記対象者情報取得部によって取得された前記学習結果情報に基づいて、前記対象者の習熟度を発音記号または発音パターンごとに設定する習熟度設定部とを備え、
前記対象者情報取得部は、前記学習結果情報として、前記対象者にとって聞き取りが困難であった単語である困難単語、当該困難単語に対する前記対象者の理解レベル、および前記対象者が聞き取り可能であった単語である理解単語を取得し、
前記習熟度設定部は、取得した前記困難単語、前記理解レベルおよび前記理解単語に基づいて、前記対象者の前記習熟度を前記発音記号または前記発音パターンごとに設定し、
前記語学学習支援装置は、さらに、
前記習熟度設定部によって設定された前記習熟度に基づいて、前記対象者用の学習情報を作成する学習情報作成部を備える、語学学習支援装置。
【符号の説明】
【０２０２】
２１  受付部
２２  処理部（対象者情報取得部）
２３  習熟度設定部
２４  記憶部
２５  学習問題処理部
２６  表示制御部
２７  音声再生部
２８  単語問題選択部（学習情報作成部）
２９  文章問題取得部
３０  英単語データベース
３１  熟語データベース
３２  習熟度データベース
３３  通信部
３４  ＳＴＣ生成部
５１  通信部
５２  処理部
５３  記憶部
５４  ユーザ別習熟度データベース
５５  文章問題データベース
５６  文章問題選択部（学習情報作成部）
１０１  端末装置（語学学習支援装置）
１１１  表示装置
１１２  音声出力装置
１５１  サーバ（語学学習支援装置）
３０１  語学学習支援システム
【図１】
2017021245.tif 000003
【図２】
2017021245.tif 000004
【図３】
2017021245.tif 000005
【図４】
2017021245.tif 000006
【図５】
2017021245.tif 000007
【図６】
2017021245.tif 000008
【図７】
2017021245.tif 000009
【図８】
2017021245.tif 000010
【図９】
2017021245.tif 000011
【図１０】
2017021245.tif 000012
【図１１】
2017021245.tif 000013
【図１２】
2017021245.tif 000014
【図１３】
2017021245.tif 000015
【図１４】
2017021245.tif 000016